(57)【要約】【課題】様々な電子機器の形態においても、低消費電力かつ適切に撮像装置を起動するためのトリガーを生成可能な電子機器などを提供すること。【解決手段】電子機器１００は、人感センサ１１０と撮像装置１２０とを備えている。撮像装置１２０は、人感センサ１１０からの信号に応じて動作する。人感センサ１１０は、赤外線センサ１０と第１の実装基板２０と光透過性部材３０とを有する。赤外線センサ１０は、一方の面側に受光面１１と外部電極１２を有する。第１の実装基板２０は、配線端子２１と開口部２２を有する。配線端子２１は外部電極１２と電気的に接続される。開口部２２は、一方の面側の空間と他方の面側の空間を光学的に接続する。人感センサ１１０においては、受光面１１と光透過性部材３０を光学的に接続する。【選択図】図１
2017083262.tif 000002
【特許請求の範囲】
【請求項１】
人感センサと撮像装置とを備える電子機器であって、
前記人感センサは、一方の面側に受光面及び外部電極を含む赤外線センサと、
一方の面側に前記赤外線センサの前記外部電極と電気的に接続する配線端子と、前記赤外線センサの前記受光面と光透過性部材を光学的に接続する開口部とを含む第１の実装基板と、
前記第１の実装基板の他方の面上の前記光透過性部材と、を備え、
前記人感センサからの信号に応じて前記撮像装置が動作する電子機器。
【請求項２】
前記人感センサは、前記赤外線センサと前記光透過性部材との間に着色部材を備える請求項１に記載の電子機器。
【請求項３】
前記第１の実装基板の他方の面側から観察したときに、前記第１の実装基板の前記開口部に対応する部分と、前記開口部の周囲に対応する部分とが略同一の物体色である請求項１又は２に記載の電子機器。
【請求項４】
前記光透過性部材が、前記第１の実装基板側の面に光遮蔽層を備える請求項１〜３のいずれか一項に記載の電子機器。
【請求項５】
前記撮像装置の撮像素子は、前記第１の実装基板とは異なる第２の実装基板上に実装される請求項１〜４のいずれか一項に記載の電子機器。
【請求項６】
前記第１の実装基板は、前記撮像装置を実装する前記第２の実装基板よりも前記光透過性部材に近い位置に配置される請求項５に記載の電子機器。
【請求項７】
一方の面側に受光面及び外部電極を含む赤外線センサと、
一方の面側に前記赤外線センサの前記外部電極と電気的に接続する配線端子と、前記赤外線センサの前記受光面と光透過性部材を光学的に接続する開口部とを含む第１の実装基板と、
前記第１の実装基板の他方の面上の前記光透過性部材と、
を備える人感センサ。
【請求項８】
前記光透過性部材と前記第１の実装基板との間に光遮蔽層を備える請求項７に記載の人感センサ。
【請求項９】
前記赤外線センサと前記光透過性部材との間に着色部材を備える請求項７又は８に記載の人感センサ。
【請求項１０】
前記第１の実装基板の他方の面側から観察したときに、前記第１の実装基板の前記開口部に対応する部分と、前記開口部の周囲に対応する部分とが略同一の物体色である請求項９に記載の人感センサ。
【請求項１１】
赤外線センサの一方の面側の外部電極、第１の実装基板の一方の面側の配線端子を電気的に接続する電気接続工程と、
前記第１の実装基板の他方の面と光透過性部材の一方の面とを接合する接合工程と、を有し、
前記赤外線センサは、一方の面側に受光面を備え、前記第１の実装基板は、一方の面側の空間と他方の面側の空間を光学的に接続する開口部を備え、
前記電気接続工程によって前記受光面が前記開口部を介して前記第１の実装基板の他方の面側の空間と光学的に接続される、
人感センサの製造方法。
【請求項１２】
前記赤外線センサと前記光透過性部材との間に着色部材を配置してから前記接合工程を行う請求項１１に記載の人感センサの製造方法。
【請求項１３】
前記光透過性部材の一方の面側であって光遮蔽層が形成されていない領域を含む領域に前記着色部材を配置してから前記接合工程を行う請求項１１に記載の人感センサの製造方法。
【請求項１４】
前記接合工程の前に、前記光透過性部材の一方の面側に光遮蔽層を形成する工程を更に有する請求項１１〜１３のいずれか一項に記載の人感センサの製造方法。
【請求項１５】
一方の面側に受光面及び外部電極を備える人感センサ用赤外線センサ。
【請求項１６】
ｐｎ接合又はｐｉｎ接合を有する量子型赤外線検出素子を備える請求項１５に記載の人感センサ用赤外線センサ。
【請求項１７】
他方の面側に受光面及び／又は外部電極を有さない請求項１５又は１６に記載の人感センサ用赤外線センサ。
【請求項１８】
一方の面側に赤外線センサの外部電極と電気的に接続可能な配線端子と、一方の面側の空間と他方の面側の空間を光学的に接続する開口部とを備える人感センサ用基板。
【請求項１９】
前記配線端子は、前記開口部を囲うように配置される請求項１８に記載の人感センサ用基板。
【発明の詳細な説明】
【技術分野】
【０００１】
本発明は、電子機器、人感センサ及びその製造方法、人感センサ用赤外線センサ及び人感センサ用基板に関する。
【背景技術】
【０００２】
近年、電子機器の需要はますます高まっている。特に、文字や画像などの情報を表示する表示部を備えた電子機器は生活のいたるところで用いられている。
また、そのような電子機器では、使用者に応じた制御を迅速かつ適切に行うために、使用者の顔を撮像して個人を特定する方法が適用することが知られている（例えば、特許文献１参照）。
【先行技術文献】
【特許文献】
【０００３】
【特許文献１】特開２００５−１５７５９６号公報
【発明の概要】
【発明が解決しようとする課題】
【０００４】
使用者の顔を撮像して個人を特定して、制御（例えば、ログインなど）を行うためには、撮像装置を起動させる必要がある。しかし、常に撮像装置を起動させたままの状態にすると、電力を多大に消費するという問題が生じる。
他方、キー入力などの入力操作をトリガーにして撮像装置を起動させる方法も考えられるが、電子機器は様々な形態があり、形態によってはこのような入力操作をトリガーにする方法は不適切となる。例えば、ディスプレイの背面側にキーボードが来るように変形可能なノートパソコンの場合、キー入力が困難であったり、そもそもキー入力が不可能な場合がある。
【０００５】
他の例では、ディスプレイが備えたタッチパネルに対する圧力もしくは静電容量の変化をトリガーにする方法も考えられるが、カバンなどに収納している間の誤動作を引き起こし、結果として消費電力の増大を引き起こすという問題があった。
さらに、撮像装置がすでに搭載されることが標準的となっている電子機器に他の制御手段をどのように実装するのが好適であるかは全く知られていなかった。
本発明は、このような問題に鑑みてなされたもので、その目的とするところは、様々な電子機器の形態においても、低消費電力かつ適切に撮像装置を起動するためのトリガーを生成可能な電子機器、この電子機器に用いる人感センサ及び人感センサの製造方法、人感センサ用赤外線センサ及び基板を提供することにある。
【課題を解決するための手段】
【０００６】
本発明の第１の態様においては、人感センサと撮像装置とを備える電子機器であって、前記人感センサは、一方の面側に受光面及び外部電極を含む赤外線センサと、一方の面側に前記赤外線センサの前記外部電極と電気的に接続する配線端子と、前記赤外線センサの前記受光面と光透過性部材を光学的に接続する開口部とを含む第１の実装基板と、前記第１の実装基板の他方の面上の前記光透過性部材と、を備え、前記人感センサからの信号に応じて前記撮像装置が動作する電子機器を提供する。
本発明の第２の態様においては、一方の面側に受光面及び外部電極を含む赤外線センサと、一方の面側に前記赤外線センサの前記外部電極と電気的に接続する配線端子と、前記赤外線センサの前記受光面と光透過性部材を光学的に接続する開口部とを含む第１の実装基板と、前記第１の実装基板の他方の面上の前記光透過性部材と、を備える人感センサを提供する。
【０００７】
本発明の第３の態様においては、赤外線センサの一方の面側の外部電極、第１の実装基板の一方の面側の配線端子を電気的に接続する電気接続工程と、前記第１の実装基板の他方の面と光透過性部材の一方の面とを接合する接合工程と、を有し、前記赤外線センサは、一方の面側に受光面を備え、前記第１の実装基板は、一方の面側の空間と他方の面側の空間を光学的に接続する開口部を備え、前記電気接続工程によって前記受光面が前記開口部を介して前記第１の実装基板の他方の面側の空間と光学的に接続される人感センサの製造方法を提供する。
【０００８】
本発明の第４の態様においては、一方の面側に受光面及び外部電極を有する人感センサ用赤外線センサを提供する。
本発明の第５の態様においては、一方の面側に赤外線センサの外部電極と電気的に接続可能な配線端子と、一方の面側の空間と他方の面側の空間を光学的に接続する開口部とを備える人感センサ用基板を提供する。
なお、上記の発明の概要は、本発明の特徴の全てを列挙したものではない。また、これらの特徴群のサブコンビネーションもまた、発明となりうる。
【発明の効果】
【０００９】
本発明によれば、様々な電子機器の形態においても、低消費電力かつ適切に撮像装置を起動するためのトリガーを生成可能な電子機器、この電子機器に用いる人感センサ及び人感センサの製造方法、人感センサ用赤外線センサ及び基板を提供することが可能になる。
【図面の簡単な説明】
【００１０】
【図１】（ａ）及び（ｂ）は、本発明に係る電子機器の実施形態１を説明するための構成図である。
【図２】本発明に係る電子機器の実施形態２を説明するための構成図である。
【図３】本発明に係る電子機器の動作説明のための模式図である。
【図４】本発明に係る電子機器の実施形態３を説明するための構成図である。
【図５】（ａ）及び（ｂ）は、本発明に係る電子機器の実施形態４を説明するための構成図である。
【図６】本発明に係る電子機器の動作を説明するためのフローチャート図である。
【図７】（ａ）及び（ｂ）は、本発明に係る電子機器の参考例１を説明するための構成図である。
【図８】（ａ）及び（ｂ）は、本発明に係る電子機器の参考例２を説明するための構成図である。
【発明を実施するための形態】
【００１１】
以下、発明の実施の形態を通じて本発明を説明するが、以下の実施形態は、特許請求の範囲にかかる発明を限定するものではない。また、実施形態の中で説明されている特徴の組み合わせの全てが発明の解決手段に必須であるとは限らない。
【００１２】
［実施形態１］
図１（ａ）及び（ｂ）は、本発明に係る電子機器の実施形態１を説明するための構成図で、図１（ａ）は平面図、図１（ｂ）は図１（ａ）におけるＡ−Ａ’線断面図である。つまり、本実施形態１に係る電子機器１００の人感センサ１１０及び撮像装置１２０を含む平面図（図１（ａ））及び断面図（図１（ｂ））の構成例である。
本実施形態１に係る電子機器１００は、人感センサ１１０と撮像装置１２０とを備えている。撮像装置１２０は、人感センサ１１０からの信号に応じて動作する。例えば、人感センサ１１０からの信号が、第１の実装基板２０を介して演算装置（図示せず）に入力され、該演算装置からの出力が撮像装置１２０に入力されることで、撮像装置１２０を人感センサからの信号に応じて動作させることが可能である。また人感センサ１１０および／または撮像装置１２０が演算装置を有している場合は、人感センサ１１０からの信号を撮像装置１２０に直接入力することでも同様の動作をさせることが可能である。
【００１３】
人感センサ１１０は、赤外線センサ１０と第１の実装基板２０と光透過性部材３０とを有する。赤外線センサ１０は、一方の面側に受光面１１と外部電極１２を有する。なお、符号１３は受光部、１４は封止部材を示している。
第１の実装基板２０は、配線端子２１と開口部２２を有する。配線端子２１は外部電極１２と電気的に接続される。開口部２２は、一方の面側の空間と他方の面側の空間を光学的に接続する。人感センサ１１０においては、受光面１１と光透過性部材３０を光学的に接続する。
【００１４】
つまり、第１の実装基板２０は、一方の面側に赤外線センサ１０の外部電極１２と電気的に接続する配線端子２１と、赤外線センサ１０の受光面１１と光透過性部材３０を光学的に接続する開口部２２とを備えている。
光透過性部材３０は、第１の実装基板２０の他方の面側と接着部材３１を介して接合されている。
このような構成により、本実施形態１に係る電子機器１００は、人感センサ１１０からの信号に応じて撮像装置１２０が動作する。
【００１５】
［実施形態２］
図２は、本発明に係る電子機器の実施形態２を説明するための構成図である。なお、図１と同じ機能を有する構成要素には同一の符号を付してある。
本実施形態２においては、図２に示すように、光透過性部材３０と第１の実装基板２０は、筐体２００によって機械的に接合されていてもよい。
また、第１の電子機器１００においては、光透過性部材３０は、光遮蔽層３２を備えている。つまり、光透過性部材３０は、第１の実装基板２０側の面に光遮蔽層３２を備えている。
撮像装置１２０は、第２の実装基板１３０に実装されている。また、第２の実装基板１３０は、筐体２００上に配置されている。つまり、撮像装置１２０の撮像素子は、第１の実装基板２０とは異なる第２の実装基板１３０上に実装されている。第１の実装基板２０は、撮像装置１２０を実装する第２の実装基板１３０よりも光透過性部材３０に近い位置に配置されている。
【００１６】
これにより、第１の実装基板２０は、第２の実装基板（撮像装置の基板）１３０よりも光透過性部材３０に近い位置に配置されるので、赤外線センサ１０の所望の視野角を実現するための第１の実装基板の開口部２２のサイズが小さくできる（光遮断層３２がない部分を小さくできる）ため、電子機器の外観上の均質性への影響を低減できる。
次いで、本実施形態に係る電子機器の各構成要件について説明する。なお、各構成要件の具体例や特徴部は、本発明の技術思想を逸脱しない範囲で、各々単独又は組み合わせて適用可能である。
【００１７】
＜電子機器＞
本実施形態に係る電子機器において、電子機器の具体的な形態は、特に制限されないが、例えば、デスクトップパソコンやラップトップパソコン、タブレット型パソコン、スマートフォンなどが挙げられる。キー入力をトリガーにすることに困難性が生じ得るラップトップパソコン（特に、表示部の背面側にキーボードやタッチパネルなどの入力部が配置するように変形可能なもの）や、そもそもキーボードやタッチパネルなどの入力部を有さないタブレット型パソコンにおいて、特に好適である。
【００１８】
赤外線センサ及び撮像装置の配置位置も特に制限されないが、電子機器の表示部の枠縁部分（ベゼルとも称される）に配置することが好ましい。また赤外線センサと撮像装置は離れた位置に配置されないことが好ましい。例えば、平面視したときに略同一直線状に配置されることが好ましい。
図３は、本発明に係る電子機器の動作説明のための模式図である。電子機器１００の例として、表示部の周りの枠縁上部に人感センサ１１０と撮像装置１２０を搭載したラップトップパソコンの例である。
【００１９】
使用者が該電子機器を使用するために、表示部に対向する場所に移動する（人感センサ１１０の赤外線センサ１０の視野外から視野内に移動する）と、主に背景温度（例えば、２５度）が入力されていた赤外線センサに、赤外線センサに使用者の温度（例えば、３５度）に応じた赤外線も入射され、これにより、人感センサは使用者が電子機器を使用しようする状態にあると推定し、この結果をトリガーとして撮像装置１２０を起動させる。
次いで、例えば、撮像装置によって取得された画像が登録されたユーザであるか否かを判定して自動ログインを実現することが可能になる。
【００２０】
＜人感センサ＞
本実施形態に係る電子機器において、人感センサは、赤外線センサ、第１の実装基板及び光透過性部材を有する。人感センサは、赤外線センサと光透過性部材との間に着色部材を備えることが好ましい。人感センサは、赤外線センサの視野内にヒトが存在するか否かを推定し、その結果を信号として出力する。そして前述のとおり、その信号に応じて撮像装置が動作する。一例としては、人が存在いると推定した場合は撮像装置を起動する方法が考えられる。
【００２１】
つまり、人感センサ１１０は、一方の面側に受光面１１及び外部電極１２を含む赤外線センサ１０と、一方の面側に赤外線センサ１０の外部電極１２と電気的に接続する配線端子２１と、赤外線センサ１０の受光面１１と光透過性部材３０を光学的に接続する開口部２２とを含む第１の実装基板２０と、第１の実装基板２０の他方の面上の光透過性部材３０と、を備えている。
また、人感センサ１１０は、光透過性部材３０と第１の実装基板２０との間に光遮蔽層３２を備えている。
【００２２】
＜赤外線センサ＞
本実施形態に係る電子機器において、赤外線センサは、一方の面側に受光面及び外部電極を有する。ここで受光面とは、外部空間から赤外線センサに赤外線が入射される部分を意味している。例えば受光面は半導体基板でもよいし、光学フィルタでもよいし、入社された赤外線に応じた信号を出力する部分であってもよい。
赤外線センサにおける検出素子の形態としては、ＰＮ接合又はＰＩＮ接合構造を含んだフォトダイオードやフォトトランジスタに代表される量子型赤外線検出素子や、サーモパイルなどの熱電素子やＰＺＴ（チタン酸ジルコン酸鉛）などの焦電素子、ボロメータなどに代表される熱型の赤外線検出素子であってもよい。
【００２３】
限定はされないが、特に波長５μｍ以上１０μｍ以下の少なくともいずれか一つの波長の光に対する光透過性部材の透過率が２０％以下である光透過性部材の下で用いる場合は、波長５μｍ以下で高分解能を実現可能なＩｎ（インジウム）及びＳｂ（アンチモン）を含む受光部（光吸収層とも称される）を有する赤外線センサであることが好ましく、ＩｎＳｂ（インジウムアンチモン）、ＡｌＩｎＳｂ（アルミインジウムアンチモン）、ＩｎＡｓＳｂ（インジウムヒ素アンチモン）、又はＡｌＩｎＡｓＳｂ（アルミインジウムヒ素アンチモン）を含む受光部を有した量子型赤外線センサを用いることがより好ましい。量子型赤外線センサとしては、例えば、旭化成エレクトロニクス製の赤外線センサ「ＩＲ１０１１」が挙げられる。
【００２４】
検出素子は、単独素子であってもよいし、複数個をアレイ状に集積したものであってもよい。また、単独素子を直列又は並列接続して一つの検出素子としたものであってもよい。本実施形態の電子機器においては、赤外線センサは撮像装置を起動するためのトリガー信号を生成する機能を果たすため、単独素子、また、単独素子を直列又は並列接続して一つの検出素子としたものであることが好ましい。
また、赤外線センサは、受光素子からの信号を外部電極のいずれかに直接出力するものであってもよいし、受光素子からの信号を演算部などで処理した後の信号を外部電極のいずれかに出力するものであってもよい。
【００２５】
使用者の検出精度の観点から、受光面は、第１の実装基板の開口部及び光透過性部材のみを介して外界と光学的に接続されるものであることが好ましい。また、使用者の検出精度の観点から、受光面と外界とを光学的に接続する光路内に、波長１μｍ以上４μｍ以下の光に対する透過率が４０％以下の領域が存在しないことが好ましい。
また、上述した赤外線センサ１０は、人感センサ用赤外線センサとして適用することができる。この人感センサ用赤外線センサ１０は、一方の面側に受光面１１及び外部電極１２を備えている。
また、人感センサ用赤外線センサ１０は、ｐｎ接合又はｐｉｎ接合を有する量子型赤外線検出素子であってもよい。
また、人感センサ用赤外線センサ１０は、他方の面側に受光面１１及び／又は外部電極１２を備えていないものであってもよい。
【００２６】
＜第１の実装基板＞
本実施形態に係る電子機器において、第１の実装基板２０は、一方の面側に赤外線センサ１０の外部電極１２と電気的に接続する配線端子２１を有する。また、第１の実装基板２０は、赤外線センサ１０の受光面１１と光透過性部材３０を光学的に接続する開口部２２を有する。
配線端子２１は、赤外線センサの外部電極に駆動信号を入力したり、赤外線センサからの信号を受信することを可能にする。外部電極１２と配線端子２１のを電気的に接続する方法は特に制限されないが、例えば半田リフローなどが挙げられる。
【００２７】
実装基板の種類は特に制限されないが、プリント基板や、フレキシブル配線基板などが挙げられる。配線端子は赤外線センサの外部電極１２と電気的に接続可能なものであれば特に制限されないが、耐久性の観点から、配線層（例えば、銅箔層）上にメッキが施されていることが好ましい。
開口部は、一方の面側の空間と他方の面側の空間を光学的に接続し、人感センサとしては赤外線センサ１０の受光面１１と光透過性部材３０を光学的に接続するものであればよく、例えば実装基板を機械的に切削したり、化学的に切削したり、実装基板の製造過程で予め開口部を形成することで形成可能である。開口部は空間のみであってもよいし、一部に別部材が配置されていてもよい。
【００２８】
赤外線センサの視野（ＦＯＶ：Ｆｉｅｌｄ  Ｏｆ  Ｖｉｅｗ）を狭窄せず、かつ、平面視したときの開口部面積を大きくしない観点から、第１の実装基板の厚みは小さいことが好ましい。例えば撮像装置の厚みよりも小さいことが好ましい。赤外線センサの視野を前後左右に９０度以上確保する観点から、赤外線センサの厚みは、赤外線センサの受光面の径以下であることが好ましい。なお、ここで赤外線センサの受光面の径は受光面の縁部間距離が最大となる線分の長さを意味する。例えば受光面が正方形の場合、対角線分が赤外線センサの受光面の径となる。
また同様に、赤外線センサの視野を狭窄せず、かつ、平面視したときの開口部面積を大きくしない観点から、開口部の径と第１の実装基板の厚みの観点から、第１の実装基板の厚み≦（開口部の径＋受光面の径）／２であることが好ましい。
【００２９】
［実施形態３］
図４は、本発明に係る電子機器の実施形態３を説明するための構成図である。なお、図２と同じ機能を有する構成要素には同一の符号を付してある。
第１の実装基板は、部品点数削減の観点から、図４に示すように、撮像装置を実装してもよい。この場合、両面に配線端子を備える実装基板とすることが実施容易性の観点から好ましい。このような形態を採用する場合は、第１の実施基板は、フレキシブル配線基板であることが好ましい。例えば、後述する着色部材が開口部内に配置されていてもよい。
上述した第１の実装基板２０は、人感センサ用基板として適用できる。この人感センサ用基板は、一方の面側に赤外線センサ１０の外部電極１２と電気的に接続可能な配線端子２１と、一方の面側の空間と他方の面側の空間を光学的に接続する開口部２２とを備えている。また、配線端子２１は、開口部２２を囲うように配置されている。
【００３０】
＜光透過性部材＞
本実施形態に係る電子機器において、光透過性部材は、赤外線センサの受光面に赤外線を入射可能なものであれば特に制限されない。
光透過性部材の一例としては、ケイ酸塩を主成分とするケイ酸（塩）ガラス、石英ガラス、アクリルガラス、カルコゲンガラス、金属ガラス、有機ガラスなどが挙げられる。電子機器への適合性の観点から、コーニング社製の「ゴリラガラス」や旭硝子株式会社製の「ドラゴントレイルガラス」などが好適例として挙げられる。
また、太陽光などの外乱光の影響を低減する観点から、波長５μｍ以上１０μｍ以下の少なくともいずれか一つの波長の光に対する前記光透過性部材の透過率が２０％以下であることが好ましい。
【００３１】
＜光遮蔽層＞
本実施形態に係る電子機器において、光遮蔽層は、可視光に対して不透明な層である。これは、電子機器の内部（本実施形態においては人感センサや撮像素子、それらを実装する実装基板など）に対して外部から可視光が到達しない、すなわち肉眼にさらされないようにするために設けられている。また電子機器の意匠性や美観にも大きく影響を及ぼす。
例えば、上述した図３の枠縁部分の最表面が光透過性部材の場合、内部が透けることを防止するために、光透過性部材の内側の面に光遮蔽層を設ける形態が挙げられる。また、このような形態の場合、光遮蔽層の色を所望の色にすることで、電子機器全体としての意匠性に影響を与えることが出来る。
光遮蔽層は、例えば、インキを印刷したり塗工したりすることで形成可能である。
【００３２】
＜撮像装置＞
本実施形態に係る電子機器において、撮像装置は、視野内を撮像可能なものであれば特に制限されない。ＣＣＤイメージセンサやＣＭＯＳイメージセンサなどの撮像素子で撮影した画像をデジタルデータとして記録するデジタルカメラであることが好ましい。連続的に撮像することで動画データとしてもよい。
低消費電力化の観点からは、人感センサからの信号（トリガー）に応じて、少ない数の画像（最低１枚）を取得するものであることが好ましく、精度よく使用者を検知する観点からは、人感センサからの信号（トリガー）に応じて、多い数の画像を取得して使用者の検知に適した画像を選択可能なものであることが好ましい。
人感センサが、使用者の状態が、使用者の検知に適した状態であるか否かを分別可能な場合は、該使用者の状態に応じて、画像の取得枚数を制御可能なものにしてもよい。
【００３３】
＜着色部材＞
図５は、（ａ）及び（ｂ）は、本発明に係る電子機器の実施形態４を説明するための構成図で、図５（ａ）は平面図、図５（ｂ）は図５（ａ）におけるＡ−Ａ’線断面図である。なお、図１と同じ機能を有する構成要素には同一の符号を付してある。
本実施形態に係る電子機器における人感センサ１１０は、図５に示すように、赤外線センサ１０と光透過性部材３０との間に着色部材４０を備えていてもよい。着色部材４０は、波長１μｍ〜５μｍ赤外線に対する透過性が２０％以上であって、可視光に対する透過性が２０％以下であればよい。
【００３４】
電子機器が人感センサを有することを肉眼で認識しにくくするために、第１の実装基板２０の他方の面側（光透過性部材３０側）から平面視で観察したときに、開口部２２に対応する部分４１と、この開口部２２の周囲に対応する部分４２が略同一の物体色であることが好ましい。
例えば、図１において赤外線センサの受光面１１や赤外線センサの封止樹脂の物体色が、光遮断部３２の物体色が略同一であれば、着色部材を設けることなく、開口部２２に対応する部分４１と、この開口部の周囲に対応する部分４２が略同一の物体色となり、電子機器が人感センサを有することを肉眼で認識しにくくなる。
【００３５】
例えば、赤外線センサの受光面１１がＧａＡｓ基板であり、赤外線センサの封止樹脂が黒色のエポキシ樹脂であり、光遮断層が黒色インキである場合、開口部２２に対応する部分４１と、該開口部の周囲に対応する部分４２は略同一の物体色となる。
一方、光遮断層が白色インキである場合は、赤外線センサの受光面１１がＧａＡｓ基板であり、赤外線センサの封止樹脂が黒色のエポキシ樹脂であると、そこに何らかの部材を有することが肉眼で認識しやすくなってしまう。
そこで、図５に示すように、着色部材を用い、光遮断層の色と略同一の物体色となる着色部材を用いると、開口部２２に対応する部分４１と、該開口部の周囲に対応する部分４２を略同一の物体色とすることが容易に実現できる。
【００３６】
本実施形態に係る電子機器は中央領域に肉眼で認識可能な形態で撮像装置を備えていることが一般的である。この撮像装置の動作のトリガーの一つとなる人感センサをさらに搭載する際に、中央領域の近傍に人感センサを搭載すると、人感センサの開口部によってその存在が肉眼で認識されやすい。そうすると、電子機器としての対称性が損なわれ、美観的にも機能的にも不利益が生じるという新たな課題に着目した本発明者らだからこそ着想し得た形態である。
開口部２２に対応する部分４１と、該開口部の周囲に対応する部分４２が略同一の物体色であるとは、色彩計を用いた反射測定により、それぞれの部分のＬ＊ａ＊ｂ＊表色系（Ｌ１、ａ１、ｂ１とＬ２、ａ２、ｂ２）を測定し、下記式（１）により導かれるΔＥが３０％以下であることを意味する。より厳密な同一性を見極めるためには色差ΔＥが２０％以下とすることが良く、１０％以下とすることがより良い。
ΔＥ＝（（Ｌ１−Ｌ２）２＋（ａ１−ａ２）２＋（ｂ１−ｂ２）２）１／２      （１）
【００３７】
次に、本実施形態の電子機器の動作例を、図６を用いて説明する。
図６は、本発明に係る電子機器の動作を説明するためのフローチャート図である。
まず、動作が開始されると、赤外線センサからの出力信号Ｄ１を取得し、参照信号Ｄ２と比較を行う（以下、初期動作と称する）。参照信号Ｄ２は使用者がいないときの赤外線センサの出力信号相当の信号として記憶された値である。比較によって電子機器を使用可能な状態にある使用者が存在するか否かを推定する（Ｓ１０）。
使用者が存在しないと推定した場合は、再度初期動作を行う。この際消費電力低減の観点から、所望の期間経過後に出力信号Ｄ１を再取得するようにしてもよい。
使用者が存在すると推定した場合は、撮像装置を動作させ（Ｓ２０）、撮像データＤ３を取得する。任意で、撮像データＤ３から使用者が存在するか否かを判定する（Ｓ３０）。
【００３８】
使用者が存在すると判定した場合は、再度初期動作を行う。その際、人感センサからの出力信号Ｄ１又はＤ１に基づいた信号を参照信号Ｄ２として記憶してもよい（図６の点線参照）。
使用者が存在すると判定した場合は、使用者の画像と登録済みのデータベース画像Ｄ４とを比較し、登録済みの使用者であるか否かを判定する（Ｓ４０）。
登録済みの使用者と判定した場合は、自動ログインなどの所望の動作を実行し（Ｓ５０）、終了する。未登録の使用者と判定した場合は、ＩＤとパスワードの入力などの所望の動作を要求し（Ｓ６０）、終了する。
終了後は、所望のトリガー（一定時間の経過、使用者による特定のアクション実行など）に応じて、再度初期動作を開始させてもよい。
【００３９】
次に、本実施形態に係る人感センサの製造方法について説明する。
本実施形態の人感センサの製造方法は、赤外線センサの一方の面側の外部電極１２、第１の実装基板２０の一方の面側の配線端子２１を電気的に接続する電気接続工程と、第１の実装基板２０の他方の面と光透過性部材３０の一方の面とを接合する接合工程と、有する。赤外線センサ１０は、一方の面側に受光面１１を備えている。また、第１の実装基板２０は、一方の面側の空間と他方の面側の空間を光学的に接続する開口部２２を備えている。電気接続工程によって受光面１１が開口部２２を介して第１の実装基板２０の他方の面側の空間と光学的に接続される。
【００４０】
人感センサの内部を外部から肉眼で確認できないようにする観点から、接合工程の前に、光透過性部材の一方の面側に光遮蔽層を形成する工程を更に備えていることが好ましい。
第１の実装基板の開口部に対応する部分と、この開口部の周囲に対応する部分を略同一の物体色にする観点から、赤外線センサ１０と光透過性部材３０との間に着色部材４０を配置してから、接合工程を行うことが好ましい。同様の観点から、光透過性部材３０の一方の面側であって光遮蔽層３２が形成されていない領域を含む領域に着色部材４０を配置してから、接合工程を行うことも好ましい。
また、接合工程の前に、光透過性部材３０の一方の面側に光遮蔽層３２を形成する工程を更に有してもよい。
【００４１】
［参考例１］
図７（ａ）及び（ｂ）は、本発明に係る電子機器の参考例１を説明するための構成図で、図７（ａ）は平面図、図７（ｂ）は図７（ａ）におけるＡ−Ａ’線断面図である。つまり、  撮像装置を備える従来の電子機器に、赤外線センサを有する人感センサを単純に実装した場合の平面図（ａ）及び断面図（ｂ）の参考構成例である。
図中符号７００は電子機器、７１１は人感センサ、７１２は撮像装置、７１３は実装基板、７２０は筐体、７２１は配線端子、７２２は開口部、７２３は受光部、７１４は封止部材、７２５は外部電極、７３０は光透過性部材を示している。
【００４２】
撮像装置は比較的大きな厚みがあり、光透過性部材と対向する側の筐体７２０上に配置された実装基板７１３上に実装されるのが一般的である。すなわち、すでに実装基板７１３を有しているため、それの一部を用いて赤外線センサを有する人感センサ７１１を実装しようとする。赤外線センサはその視野を他の部材で制限することが一般的に用いられる。さらに赤外線センサの厚みが撮像装置の厚みよりも薄い場合は、固定のためのパーツが必要になる。このことから視野制限部と固定部の両方の機能として開口部を有する部材７０を挿入する形態が考えられる。
しかし、図７のように、部材７０の開口部を図１に示した本実施形態１の電子機器と同じ開口部径にすると、視野が狭くなってしまい、人感センサとしての機能及び精度が悪化してしまう。
【００４３】
［参考例２］
図８（ａ）及び（ｂ）は、本発明に係る電子機器の参考例２を説明するための構成図で、図８（ａ）は平面図、図８（ｂ）は図８（ａ）におけるＡ−Ａ’線断面図である。なお、図７と同じ機能を有する構成要素には同一の符号を付してある。
本実施形態１の電子機器と同等の視野にするためには、図８に示すように、部材７０の開口部径を大きくする必要がある。
しかし、開口部径が大きくなったことに伴い、平面視したときに人感センサの存在が顕著となり、著しく美観を損なうことが図８から理解される。
【００４４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
特許請求の範囲、明細書、及び図面中において示した装置、システム、プログラム、及び方法における動作、手順、ステップ、及び段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」などを用いて説明したとしても、この順で実施することが必須であることを意味するものではない。
【符号の説明】
【００４５】
１０  赤外線センサ
１１  受光面
１２  外部電極
１３  受光部
１４  封止部材
２０  第１の実装基板
２１  配線端子
２２  開口部
３０  光透過性部材
３１  接着部材
３２  光遮断層
４０  着色部材
４１  開口部に対応する部分
４２  開口部の周囲に対応する部分
７０  開口部材
１００  電子機器
１１０  人感センサ
１２０  撮像装置
１３０  第２の実装基板
２００  筐体
７００  電子機器
７１１  人感センサ
７１２  撮像装置
７１３  実装基板
７２０  筐体
７２１  配線端子
７２２  開口部
７２３  受光部
７１４  封止部材
７２５  外部電極
７３０  光透過性部材
【図１】
2017083262.tif 000003
【図２】
2017083262.tif 000004
【図３】
2017083262.tif 000005
【図４】
2017083262.tif 000006
【図５】
2017083262.tif 000007
【図６】
2017083262.tif 000008
【図７】
2017083262.tif 000009
【図８】
2017083262.tif 000010